(57)【要約】      （修正有）【課題】さまざまな使い方に対応できる装着式ポーチを提供する。【解決手段】携帯電話などを入れる巾着式、留め具式またはファスナー式の小型ポーチのポーチ部後面４内部のＬ字形背板と外部の装着部取り付け部２を接合・固定させ、装着部取り付け部２には装着部１を差し込む。装着部１の形態としては、フック式、クリップ式、ベルト通し式、ぶら下げ具付きなどとし、装着部１を使い方に応じて、自在に着脱交換できるように取り付ける。【選択図】図１
2008264456.tif 000002
【特許請求の範囲】
【請求項１】
携帯電話などを入れる巾着式、留め具式またはファスナー式の小型ポーチに、フック式、クリップ式、ベルト通し式、ぶら下げ具付きなどの装着部を自在に着脱交換できるように取り付けたことを特徴とする装着式ポーチ。
【請求項２】
前記の自在に着脱交換できる装着部を交換できない固着式にした請求項１記載の装着式ポーチ。
【発明の詳細な説明】
【技術分野】
【０００１】  本発明は、さまざまな使い方に対応できる装着式ポーチに関するものである。
【背景技術】
【０００２】  従来の装着式ポーチを見ると、ベルト通し式のもの、ぶら下げ具付きのもの、手提げストラップ付きのものに限られており、その使われ方が限定されている。１つの商品をいろいろな用途に使い回すことができない状況である。また、素材についても、皮革、合成繊維、合成樹脂など幅が狭く、購入者の要望に応えきれていない。さらに、機能一辺倒の感があり、装飾性の豊かさに欠ける傾向が強い。
【発明の開示】
【発明が解決しようとする課題】
【０００３】  （イ）さまざまな使い方に対応できる装着式ポーチが少ない。
（ロ）素材の範囲が狭く、多様な消費者の要望に応えきれていない。
（ハ）機能中心のため装飾性に乏しく、高級感のないものが多い。
（ニ）和装に装着できる装着式ポーチがない。
本発明は以上の問題点を解決しようとするものである。
【課題を解決するための手段】
【０００４】  携帯電話などを入れる巾着式、留め具式またはファスナー式の小型ポーチにフック式、クリップ式、ベルト通し式、ぶら下げ具付きなどの装着部を自在に着脱交換できるように取り付けたことを特徴とする装着式ポーチである。
【発明の効果】
【０００５】  フック式、クリップ式、ベルト通し式、ぶら下げ具付きの装着部を自在に着脱交換することにより、さまざまな衣類や物に装着可能となり、１つの商品の利用範囲が大きく広がる。【０００６】  ポーチ部、締めひも、ひも結合具や別途施す装飾に日本固有の形状・素材・伝統工芸を取り入れることにより装飾性が豊かになり、洋装から和装に至るまで対応する広いファッション性・用途が生まれる。
素材の選び方により多様な層に対応した多様な商品を開発することができる。さらに、日本の感性を生かした海外向け商品としての拡販も期待できる。【０００７】  フック式、クリップ式の装着部と自在に交換できることと、日本情緒豊かな素材を使用することにより、和装の帯への装着が可能になり、装着式ポーチの新たな需要を開拓することができる。【０００８】  携帯電話以外にもポケット代わりにちょっとした小物を入れる小型装着式ポーチとして、いろいろな使われ方が可能な商品として使い勝手のよいポーチになる。【０００９】  ポーチ部と着脱交換可能な装着部、一体型装着部の別売を可能にすることで、複数購入につながる商品になる。また、魅力あるセット販売商品にもなる。
【発明を実施するための最良の形態】
【００１０】  以下、本発明の第１の実施形態について説明する。
（イ）ポーチ部後面（４）内部のＬ字形背板（９）と外部の装着部取り付け部（２）を接合・固定させ、装着部取り付け部に装着部（１）を差し込む。
Ｌ字形背板（９）は、底部（１０）を省略した背板だけにしてもよい。
装着部の形態としては、フック式、クリップ式、留めボタンによるベルト通し式、マジックテープによるベルト通し式、両端固着のベルト通し式、ぶら下げ具（８）付きのタイプがある。使い方に応じて、装着部取り付け部に着脱交換できるよう統一規格のものとする。ただし、ぶら下げ具については、前記の装着部とは別個に、ポーチ部に取り付ける方式のものもある。また、ぶら下げ具に取り付けて手に提げることができるようにするため、手提げストラップを別途付け加えてもよい。
前述した背板に装着部取り付け部を固定し着脱可能な装着部を取り付ける形態のほかに、次の２つの形態がある。
第一の形態は次の通りである。背板と装着部取り付け部の２つをＵ字状のフック式に一体化し、その一体型背板部（１１）をポーチ部後面に設けた背板部挿入ポケット（１２）に挿入する。その装着部取り付け部（２）に、前記と同じように、着脱交換可能な装着部（１）を取り付ける。
第二の形態は次の通りである。背板と装着部取り付け部と装着部の３つをＳ字状に一体化し、その一体型背板部（１１）をポーチ部後面に設けた背板部挿入ポケット（１２）に挿入する。この場合、装着部のみの着脱交換は不可能となるので、装着部分の形状をフック式、クリップ式、留めボタンによるベルト通し式、マジックテープによるベルト通し式、両端固定のベルト通し式、ぶら下げ具付きにした、一体型挿入部をそれぞれ作り、全体を交換可能な形態にする。この場合、ぶら下げ具（８）については、他の方式とは別個に取り付けてもよい。
ポーチ部の形状については、全体に厚みを持たせた直方体型、部分的にふくらみを持たせた型、厚みを持たない平面型などがある。ポーチ部の素材としては、各種布類、皮革、布と皮革の組み合わせがある。ポーチ部に刺繍を施したり、刺し子にしたり、押し型を付けたり、七宝・ビーズ・彫り物・宝石・貴金属などの装飾具や装飾的造形物を取り付けたりして、装飾性豊かなものにもできる。
ポーチ部の前面に別途ポケット（１７）を付ける形態もある。ポケットには留めボタンポケット、ファスナーポケット、マジックテープポケット、棒状または球状留め具ポケットなどがある。
（ロ）装着部取り付け部（２）と装着部（１）の上部に、抜け落ちるのを防ぐための脱落防止部（３）を設ける。ただし、この脱落防止部を設けなくても特に問題ない。
（ハ）ポーチの開口部（５）は、巾着式に閉じることができるように２本の締めひも（６）を側面の２か所からそれぞれ通し、それぞれ結んで両端に装飾的なひも結合具（７）を取り付ける。ただし、ひも結合具を取り付けず、両端を結んだだけでも問題ない。
ポーチ部の開口部の形態については、巾着式と留め具式とファスナー式がある。巾着式には、ひもの本数と締め位置により、２本のひもを用いた両側面型、１本のひもを側面で締める片側側面型、１本のひもを前面で締める片側前面型がある。１本の場合、ひものゆるみを防ぐためのひもゆるみ防止具（１５）を設けることもある。また、ひもの両端は単に結ぶ形のほかに、装飾的なひも結合具（７）を取り付ける形がある。ひもの素材としては、高級組紐から合成繊維製ひもや革ひもなどに至るさまざまなものがある。ひも結合具には珊瑚、琥珀、ガラス細工、七宝、漆塗り、彫り物、焼き物，貴石、とんぼ玉などやアクリル樹脂で固めた装飾的造形物などを用いる。
留め具式には、棒状または球状の留め具に輪状部を引っかけて留めるもの、マジックテープで留めるもの、留めボタンで留めるものがある。この場合、ポーチ部の開口部にゴムを入れて軽く絞った状態にしてもよい。
本発明を使用するときは、フック式、クリップ式、ベルト通し式、ぶら下げ具付きのうち装着する部位に合った装着部（１）を装着部取り付け部（２）に挿入し、衣服などの装着部位に取り付ける。携帯電話などの収納物をポーチ部に入れ、締めひも（６）を絞って開口部（５）を閉じる。【００１１】  以下、本発明の第２の実施形態について説明する。
第１の実施形態の着脱交換できる装着部と装着部取り付け部を使用せず、装着部を背板部またはポーチ部に直接取り付け、着脱交換できない形態にする。【００１２】  以下、本発明の第３の実施形態について説明する。
第１の実施形態のぶら下げ具または第２の実施形態のポーチ部に取り付けたぶら下げ具に、別途作製したフック式またはクリップ式装着部、あるいは差し根付状のものを連結させた形態にする。
【図面の簡単な説明】
【００１３】
【図１】本発明の装着部着脱形態図  （ａ）は装着部挿入時。（ｂ）は装着部離脱時。（ｃ）は挿入時断面図１。（ｄ）は挿入時断面図２。
【図２】本発明の着脱式装着部の形態図  （ａ）はフック式。（ｂ）はクリック式。（ｃ）は留めボタンによるベルト通し式。（ｄ）はマジックテープによるベルト通し式。（ｅ）は両端固着のベルト通し式。（ｆ）はぶら下げ具付き。
【図３】本発明の背板と装着部取り付け部の形態図  （ａ）は後面図。（ｂ）は前面図。
【図４】本発明の背板・装着部取り付け部一体型の形態図  （ａ）は後面図。（ｂ）は断面図。
【図５】本発明の背板・装着部取り付け部・装着部一体型の形態図  （ａ）は後面図。（ｂ）は断面図。
【図６】本発明の固着式装着部の形態図  （ａ）はフック式。（ｂ）はクリップ式。（ｃ）は留めボタン式。（ｄ）はマジックテープ式。（ｅ）は両端固着式。（ｆ）はフック・ぶら下げ具連結式。（ｇ）は差し根付・ぶら下げ具連結式。
【図７】本発明のポーチ部の形状図  （ａ）は直方体型。（ｂ）は部分的にふくらみを持たせた型。（ｃ）は平面型。
【図８】本発明のポーチ開口部の開閉時形態図  （ａ）は巾着両側面型。（ｂ）は巾着片側側面型。（ｃ）は巾着片側前面型１。（ｄ）は巾着片側前面型２。（ｅ）は巾着片側前面蝶結び型。（ｆ）は棒状留め具型。（ｇ）はマジックテープ型。（ｈ）は留めボタン型。
【図９】本発明のポーチ部前面のポケット形状図  （ａ）は留めボタンポケット。（ｂ）はファスナーポケット。（ｃ）はマジックテープポケット。（ｄ）は棒状留め具ポケット。
【符号の説明】
【００１４】  １  装着部
２  装着部取り付け部
３  脱落防止部
４  ポーチ部後面
５  ポーチ開口部
６  締めひも
７  ひも結合具
８  ぶら下げ具
９  Ｌ字形背板
１０  Ｌ字型背板底部
１１  一体型背板部
１２  背板部挿入ポケット
１３  ポーチ部側面
１４  ポーチ部前面
１５  ひもゆるみ防止具
１６  ゴム入り開口部
１７  ポケット
【図１】
2008264456.tif 000003
【図２】
2008264456.tif 000004
【図３】
2008264456.tif 000005
【図４】
2008264456.tif 000006
【図５】
2008264456.tif 000007
【図６】
2008264456.tif 000008
【図７】
2008264456.tif 000009
【図８】
2008264456.tif 000010
【図９】
2008264456.tif 000011